(57)【要約】【課題】磁気テープカートリッジとこれが装填される記録再生装置の構成の簡略化を図ると共に磁気テープカートリッジの防塵性を向上させる。【解決手段】磁気テープカートリッジ１００のケース１１の所定位置にピン５０の挿入される基準孔４０が形成され、該基準孔４０に、ピン５０の挿入により回転規制機構２３の係止用ギヤ１９ａとの係合を解除する係合解除部材４５がケース内側から摺動自在に挿入され、基準孔４０へケース１１外側からピン５０が挿入されることにより、係合解除部材４５がピン５０に押されて摺動し、回転規制機構２３によるリール１３の回転規制を解除するようにした。【選択図】　　　図１
2004095109.tif 000002
【特許請求の範囲】
【請求項１】
磁気テープを巻装して回転自在に軸支されるリールと、該リールのフランジの外周に形成した係止用ギヤと、前記リールの係止用ギヤに係合してリールの回転を規制する回転規制機構とをケース内に設けた磁気テープカートリッジであって、
前記ケースの所定位置に位置決め用のピンの挿入される基準孔が形成され、該基準孔に、基準孔内での摺動により前記回転規制機構の係止用ギヤとの係合を解除する係合解除部材がケース内側から摺動自在に挿入され、前記基準孔へケース外側から前記ピンが挿入されることにより、前記係合解除部材が前記ピンに押されて摺動し、前記回転規制機構による前記リールの回転規制を解除することを特徴とする磁気テープカートリッジ。
【発明の詳細な説明】
【０００１】
【発明の属する技術分野】
本発明は、磁気テープカートリッジに関し、特にカートリッジケース内に収納され磁気テープの巻装されたリールを、不使用時において回転規制する構造に関する。
【０００２】
【従来の技術】
従来より、ビデオ用テープやコンピュータ等の外部記録装置として用いられる磁気テープカートリッジには、そのケース内に磁気テープを巻装するリールを有しており、このリールには、磁気テープの弛みによるミスローディングや損傷を防止するために不使用時に回転を規制する回転規制機構を有している（例えば、特許文献１参照）。
そして、磁気テープカートリッジを記録再生装置に装填した際に、ケースの内外に連通する挿入孔に記録再生装置側の回転規制解除用ピンが差し込まれると、回転規制解除用ピンによって回転規制機構によるリールの回転規制が解除される。
また、この種の磁気テープカートリッジには、位置決め孔が形成されており、記録再生装置に装填する際に、記録再生装置側の位置決め用ピンが位置決め孔に挿入されて、磁気テープカートリッジを装置の所定位置に位置決めする（例えば、特許文献２参照）。
【０００３】
【特許文献１】
特公平３−２０８３３号公報（第３頁、第１図）
【特許文献２】
特開平５−８１７４７号公報（第３頁、第２図、第３図）
【０００４】
【発明が解決しようとする課題】
ところで、上記磁気テープカートリッジにおいては、磁気テープカートリッジの装填される記録再生装置に、リールの回転を規制する回転規制機構の解除用ピンのみならず、磁気テープカートリッジを正規の位置に位置決めする位置決め用のピンも必要であり、磁気テープカートリッジ及びこれを装填する記録再生装置の構成を複雑化するという問題があった。また、回転規制解除用ピンが挿入される挿入孔を介してケースの内部と外部とが連通する構造となるので、挿入孔を通じて塵埃がケース内に入りやすく、防塵性に欠けるという問題があった。
【０００５】
本発明は、上記事情に鑑みてなされたもので、記録再生装置の簡略化を図ることができ、しかも、防塵性に優れた磁気テープカートリッジを提供することを目的としている。
【０００６】
【課題を解決するための手段】
上記目的達成のため、本発明に係る請求項１記載の磁気テープカートリッジは、磁気テープを巻装して回転自在に軸支されるリールと、該リールのフランジの外周に形成した係止用ギヤと、前記リールの係止用ギヤに係合してリールの回転を規制する回転規制機構とをケース内に設けた磁気テープカートリッジであって、前記ケースの所定位置に位置決め用のピンの挿入される基準孔が形成され、該基準孔に、ピンの挿入により前記回転規制機構の係止用ギヤとの係合を解除する係合解除部材がケース内側から摺動自在に挿入され、前記基準孔へケース外側から前記ピンが挿入されることにより、前記係合解除部材が前記ピンに押されて摺動し、前記回転規制機構による前記リールの回転規制を解除することを特徴とする。
【０００７】
この磁気テープカートリッジでは、基準孔へのピンの挿入により、所定位置への位置決めと、回転規制機構によるリールの回転規制の解除とを同時に行うことができるので、磁気テープカートリッジの位置決めとリールの回転規制解除を行うピンとをそれぞれ個別に設ける必要がなくなり、磁気テープカートリッジ及びこれを装填する記録再生装置の構成の簡略化を図ることができる。特に、回転規制解除を兼ねた基準孔は、摺動自在に挿入された係合解除部材によってケース内側で閉塞され、優れた防塵性が確保されるので、ケース内への塵埃の侵入を確実に防止することができ、磁気テープへの損傷を防止できる。
【０００８】
ここで、前記回転規制機構として、ケース底面に直立して回転自在に軸支された軸部、該軸部から外周方向へ向けて延設され先端が前記係止用ギヤに係合するリールロック片、及び前記軸部から外周方向へ延設され軸方向に対して傾斜する傾斜面を有した傾斜片を一体に成形した係合部材と、該係合部材の傾斜片に先端部が接触し基端部が前記基準孔に挿入される係合解除部材と、該係合解除部材を前記基準孔に押し込む方向に付勢する弾性部材とを具備し、前記位置決めピンを前記基準孔に挿入することで前記係合解除部材を基準孔から突出させ、これにより係合解除部材の先端部が前記係合部材の傾斜片を押圧して、係合部材を所定角度回転させ、前記係止用ギヤに係合するリールロック片を係止用ギヤから係合解除させるようにしてもよい。
【０００９】
さらに、前記基準孔の内周面に螺旋状溝を形成すると共に、前記係合解除部材の外周面に螺旋状溝に摺動自在に係合する螺旋状の突条を形成し、前記係合解除部材が、ピンの挿入方向への移動に従動して、前記螺旋状の溝と突条により回転してリールロックによるリールの回転規制状態を解除する構造としてもよい。
さらに、前記螺旋状の突条は、前記係合解除部材の外周面に周方向に対して部分的に形成してもよく、また、突条に代えて螺旋状に離散的に配設した突起としてもよい。また、前記基準孔は複数箇所に設けられていてもよい。
【００１０】
【発明の実施の形態】
以下、本発明の磁気テープカートリッジの好適な実施の形態について、図面を参照して詳細に説明する。
なお、本明細書では、磁気テープカートリッジとして、コンピュータの外部記録装置である記録再生装置に用いられる磁気テープの磁気テープカートリッジを一例として説明する。
図１は磁気テープカートリッジの構造を示す概略斜視図、図２は磁気テープカートリッジの構造を示す概略断面図、図３は回転規制機構の要部拡大図、図４は回転規制機構の規制解除の様子を示す説明図である。
図１、図２に示すように、本実施形態の磁気テープカートリッジ１００は、ケース１１の内部で回転自在に軸支されて収納されたリール１３を有している。
【００１１】
リール１３は、その中心にリールハブ１５、リールハブ１５の上下に、上フランジ１７、下フランジ１９を備えている。また、下フランジ１９の外周には、周方向へわたって係止用ギヤ１９ａを形成している。そして、リール１３には、上フランジ１７と下フランジ１９との間で、リールハブ１５から磁気テープ２１が巻装されている。
【００１２】
上記リール１３が回転自在に軸支されるケース１１内においては、リール１３の外周側に回転規制機構２３を設けてある。この回転規制機構２３は、図３にも示すように、ケース底面から立設された支持軸２４に内周面が挿入され、ケース底面に直立して回転自在に軸支された筒状の軸部２５、この軸部２５から外周方向へ向けて延設され先端が下フランジ１９の係止用ギヤ１９ａに係合するリールロック片２７、及び軸部２５から外周方向へ延設され軸方向に対して傾斜する傾斜面２９ａを有した傾斜片２９を一体に成形した回転規制部材３１と、この傾斜片２９の傾斜面２９ａに先端部４１が接触し基端部４３が基準孔４０にケース内側から挿入される係合解除部材４５と、この係合解除部材４５を基準孔４０に押し込む方向に付勢する圧縮バネ４７とを具備している。なお、圧縮バネ４７はケース１１の上面側に固定されて係合解除部材４５を押圧している。
【００１３】
なお、回転規制部材３１のリールロック片２７には、先端が下フランジ１９の係止用ギヤ１９ａに係合するように図３中のＡ方向に常時付勢する引張りバネ５１を取り付けてある。
【００１４】
基準孔４０は、ケース１１の内側底面にケース内方側に立設した円筒リブ４９の内周面と連通しており、磁気テープカートリッジ１００の位置合わせ用として使用される。つまり、磁気テープカートリッジ１００を記録再生装置に装填する際に、基準孔４０に記録再生装置側の規制解除・位置決めピン（ピン）５０がケース１１外部から挿入され、磁気テープカートリッジ１００が記録再生装置内の所定位置に位置決めされる。また、基準孔４０は、後述するように、リール１３の回転規制解除用としても使用される。
【００１５】
上記磁気テープカートリッジ１００の構成によれば、規制解除・位置決めピン５０を基準孔４０に挿入することで（図２参照）、圧縮バネ４７により挿入方向へ付勢された係合解除部材４５の前記基端部４３が、圧縮バネ４７の付勢力に抗して上昇し、円筒リブ４９の上面から突出する。これにより、係合解除部材４５の先端部４１も上昇し（図３参照）、回転規制部材３１の傾斜片２９をその傾斜面２９ａに沿って摺動し、傾斜片２９を軸部２５を中心とした回転方向Ｂに押圧する。すると、図４に示すように、回転規制部材３１は引張りバネ５１のＡ方向への牽引力に抗して、図４（ａ）の状態から図４（ｂ）の状態にＢ方向へ所定角度回転するようになる。この回転動作により、回転規制部材３１のリールロック片２７が係止用ギヤ１９ａから離間して、その係合が解除されるようになる。
【００１６】
そして、磁気テープカートリッジ１００を再生記録装置から取り出す際に、規制解除・位置決めピン５０が基準孔４０から抜き取られると、引張りバネ５１により回転規制部材３１のリールロック片２７が再びリール１３の係合歯１９ａと係合して、リール１３の回転が規制される。
【００１７】
このように、上記の磁気テープカートリッジ１００によれば、基準孔４０への規制解除・位置決めピン５０の挿入により、所定位置への位置決めと共に、回転規制機構２３によるリール１３の回転規制の解除を同時に行うことができるので、磁気テープカートリッジの位置決めとリール１３の回転規制解除とを行うピンをそれぞれ別個に設ける必要がなくなり、磁気テープカートリッジ１００及び記録再生装置の構成を簡略化することができる。
特に、位置決めを兼ねた基準孔４０は、摺動自在に挿入された回転規制部材３１によってケース内側から閉塞されるため、優れた防塵性が確保され、ケース１１内への塵埃の侵入を確実に防止することができる。
【００１８】
次に、本発明に係る磁気テープカートリッジの第２実施形態を説明する。
本実施形態の磁気テープカートリッジは、回転規制機構のみ第１実施形態と異なり、他の構成は第１実施形態と同様であるので、ここでは重複する説明は省略する。
図５に本実施形態の磁気テープカートリッジの回転規制機構を示す要部概略図、図６に回転規制部材の詳細構成を示す拡大図を示した。
この回転規制機構６１は、図５に示すように、ケース１１の底面に配置され基準孔４０を形成する円筒リブ６３と、先端部６５が下フランジ１９の係止用ギヤ１９ａに係合し、基端部６７が円筒リブ６３の内周面内に挿入される回転規制部材６９とを有している。なお、回転規制部材の基端部６７は、圧縮バネ４７により円筒リブ６３への挿入方向に付勢されている。
【００１９】
ここで、回転規制部材６９と円筒リブ６３とは、図６に示すように、螺旋状の突条と溝とが螺合しつつ挿入される構成となっている。即ち、円筒リブ６３の内周面６３ａに、螺旋状溝７１を形成し、回転規制部材６９の基端部６７における円筒リブ６３内に挿入される挿入部６７ａに、螺旋状溝７１に摺動自在に係合する螺旋状突条７３を形成している。
これにより、一旦円筒リブ６３に挿入され、圧縮バネ４７によって挿入方向へ付勢された回転規制部材６９の基端部６７は、図５に示す規制解除・位置決めピン５０が基準孔４０に挿入されることで、図５中Ｃ方向へ回転しながら上昇する。また、規制解除・位置決めピン５０が基準孔４０から抜かれることで、圧縮バネ４７の付勢力によりＣ方向とは反対方向に回転しながら下降して、係止用ギヤ１９ａと係合する元の位置に戻される。
【００２０】
つまり、磁気テープカートリッジを記録再生装置に装填する前は、回転規制部材６９の基端部６７を圧縮バネ４７が基準孔４０への挿入方向へ付勢し、回転規制部材６９の先端部６５が係止用ギヤ１９ａに係合してリール１３の回転を規制する。
そして、磁気テープカートリッジを記録再生装置に装填すると、基準孔４０に規制解除・位置決めピン５０が挿入され、磁気テープカートリッジを記録再生装置内の所定位置に位置決めすると共に、回転規制部材６９が圧縮バネ４７の付勢力に抗して上方へ移動し、これにより、回転規制部材６９が矢印Ｃ方向に回転し、係止用ギヤ１９ａとの係合状態が解除される。
【００２１】
従って、上記構造の回転規制機構６１であっても、基準孔４０への規制解除・位置決めピン５０の挿入により、所定位置への位置決めと共に、回転規制部材６９によるリール１３の回転規制の解除を同時に行うことができるので、磁気テープカートリッジの位置決めとリール１３の回転規制解除を行うピンをそれぞれ別途に設ける必要がなくなり、磁気テープカートリッジ及び記録再生装置の構成の簡略化を図ることができる。また、この場合も基準孔４０が、挿入された回転規制部材６９によってケース内側から閉塞されるため、優れた防塵性が確保され、ケース１１内への塵埃の侵入を確実に防止することができる。
【００２２】
なお、上記の例では、回転規制部材６９の基端部６７の挿入部６７ａ外周面に、円筒リブ６３の内周面の螺旋状溝７１に摺動自在に螺合する螺旋状の突条７３を形成しているが、突条は複数条形成して摺動動作の円滑化を図ってもよい。また、図７（ａ）に突条７３の変形例を示すように、周方向に対して部分的に突条７５を形成したり、図７（ｂ）に示すように、螺旋状溝７１に摺動自在に係合する突起７７を離散的に配設し、螺旋状溝７１内における摩擦抵抗を低減して回転規制部材６９のより円滑な回転を可能にできる。
【００２３】
また、上記の各実施形態では、コンピュータの外部記録装置に用いられる磁気テープカートリッジを用いて説明したが、本発明の磁気テープカートリッジは、コンピュータの外部記憶装置に用いられるものに限らず、例えば、ビデオ用テープの磁気テープカートリッジ等の他のカートリッジにも適用することができる。
【００２４】
【発明の効果】
以上説明したように、本発明の磁気テープカートリッジによれば、基準孔へのピンの挿入により、所定位置への位置決めと、回転規制機構によるリールの回転規制の解除とを同時に行うことができるので、位置決め及びリールの回転規制の解除を行うためのピンをそれぞれ別途に設ける必要がなくなり、磁気テープカートリッジと記録再生装置の簡略化を図ることができる。また、基準孔は係合解除部材によって閉塞され、優れた防塵性が確保されるので、ケース内への塵埃の侵入を確実に防止することができる。
【図面の簡単な説明】
【図１】本発明の磁気テープカートリッジの構造を示す概略斜視図である。
【図２】磁気テープカートリッジの構造を示す概略断面図である。
【図３】回転規制機構の要部拡大図である。
【図４】回転規制機構によるリールの回転規制解除の様子を示す説明図である。
【図５】磁気テープカートリッジの他の回転規制機構を示す要部概略図である。
【図６】図５に示す回転規制部材の詳細構成を表す拡大図である。
【図７】回転規制部材の螺旋状の突条の変形例を示す斜視図である。
【符号の説明】
１１　ケース
１３　リール
１９　下フランジ
１９ａ　係止用ギヤ
２１　磁気テープ
２３，６１　回転規制機構
２５　軸部
２７　リールロック片
２９　傾斜片
３１，６１　規制解除部材
４０　基準孔
４５　係合解除部材
５０　係合解除・位置決めピン（ピン）
１００　磁気テープカートリッジ
【図１】
2004095109.tif 000003
【図２】
2004095109.tif 000004
【図３】
2004095109.tif 000005
【図４】
2004095109.tif 000006
【図５】
2004095109.tif 000007
【図６】
2004095109.tif 000008
【図７】
2004095109.tif 000009